(57)【要約】【課題】常時水位が変化する泥弱な水田、池、沼などに長期間設置しても、タニシの捕獲機能が持続し、かつ容器内で産卵した卵と成虫を同時に処分することによって、人手の削減と駆除効率の向上を図ったタニシの捕獲および飼育具を提供することである。【解決手段】底部と側面を有する、タニシを収容し産卵から一定の期間飼育できる広さの容器と、該容器の側面に設けられた開口部の内側に隣接して差し込み式に設けられたほぼ四角錐台の中空体からなる導入枠とを備え、該導入枠の先端から該容器の底部までの距離が変更できることを特徴としている。【選択図】図１
0003103317.tif 000002
【実用新案登録請求の範囲】
【請求項１】
少なくとも底面部と側面部とを有する、タニシを収容するための容器と、
タニシを該容器内に導入するために該側面部の開口部に一端が着脱自在に設けられ、他端が容器内に延びた導入部
とを備え、
導入部の他端から前記底面部までの距離が変更可能である
ことを特徴とするタニシの捕獲および飼育具。
【請求項２】
前記導入部が中空体であり、
該中空体が、前記容器の側面部に設けられた開口部を経て容器の外部に開放された外部側の開放端と、容器の内部に開放された内部側の開放端とを有し、
該中空体の外部側の開放端の周辺につばが設けられ、
前記容器の開口部の周辺に差込みガイドが設けられてなる
ことを特徴とする請求項１記載のタニシの捕獲および飼育具。
【請求項３】
底部と側面を有する、タニシを収容し、その中で飼育できる広さの容器と、
該容器の側面に設けられた開口部の内側に隣接して差し込み式に設けられたほぼ四角錐台の中空体からなる導入枠
とを備え、
該導入枠の先端から該容器の底部までの距離が変更できる
ことを特徴とするタニシの捕獲および飼育具。
【請求項４】
前記容器の側面の上部領域に縦方向に延びた複数の長孔が設けられている請求項３記載のタニシの捕獲および飼育具。
【請求項５】
前記導入枠の外部側の開放端から内部側の開放端に向かって先細りしつつ延び、該導入枠の外部側の開放端の中心と該導入枠の内部側の開放端の中心とが偏心し、該導入枠を中心軸の回りに所定の角度だけ回転させて、前記つばを差込みガイドに差し込むことによって、前記内部側開放端の下部から前記底面部までの距離が変更可能であることを特徴とする請求項３または４記載のタニシの捕獲および飼育具。
【請求項６】
前記導入枠が、外部側の開放端から内部側の開放端に向かって先細りしつつ延び、該導入枠の外部側の開放端の中心と該導入枠の内部側の開放端の中心とが偏心し、前記容器の開口部の周辺に差込みガイドが設けられ、該差込みガイドに、前記つばを垂直方向の複数の位置で保持するための高さ保持手段が設けられてなることを特徴とする請求項３または４記載のタニシの捕獲および飼育具。
【請求項７】
前記導入枠の容器内部側の開放端に開閉自在に設けられる扉を備え、該扉の上部側縁が該開放端の上部側縁に連結部を介して着脱自在に設けられることを特徴とする請求項１、２、３、４、５または６記載のタニシの捕獲および飼育具。
【考案の詳細な説明】
【技術分野】
【０００１】
本考案は、稲作の有害生物に指定されている、繁殖力旺盛なタニシを、その卵を含めて駆除を目的としたタニシの捕獲および飼育具に関する。さらに詳しくは、容器の側面に設けられた開口部に設けられた中空体からなる導入枠を備え、該導入枠の先端から容器の底部までの距離を変更することができるタニシの捕獲および飼育具に関する。
【背景技術】
【０００２】
ジャンボ・タニシと称する淡水に棲息する巻貝であるタニシの一種（以下、タニシともいう）は、約３０年前に食用を目的としてアルゼンチンから輸入された。しかしながら、タニシは日本人の口に合わなかったため、輸入されたタニシは、その処置に困った養貝業者により水田や農業水路に捨てられた。ところが、ジャンボ・タニシは、在来のタニシとくらべて、年に３回程度産卵（１００〜２００個／回）し繁殖力が極めて高く、そのうえ棲息環境への順応性も極めて高い。
【０００３】
こうして、ジャンボ・タニシは在来のタニシ群を駆逐し、稲作に被害を与えるようになった。また、最近は、環境問題、水質汚染の問題から農薬の使用がますます制限されるようになり、タニシの駆除は農家にとって大きな問題になっている。図２２を参照すると、このようなタニシ１００を捕獲するための捕獲具として、略四角錐状のカゴが提案されている（特許文献１参照）。このものは、上部が開口したほぼ四角錐状の容器１０１と該容器の上端周縁に取り付けられた針金１０２とから構成され、当該容器３１の側面は容器１０１内に向かって傾斜している。
【０００４】
また、図２３を参照すると、捕獲したタニシ１００を取り出すための開閉蓋１２７と、タニシ１００が侵入する開口部とを備え、当該開口部に遮断扉１２６が設けられた網カゴ１２０も提案されている（特許文献２参照）。特許文献２に開示された、網カゴ１２０に設けられ、捕獲したタニシを容器（網カゴ）内に封じ込んでおくための遮断扉１２６は、開口部の上部に取り付けられた水平軸１２５に当該遮断扉１２６の上縁部が回動自在に支持されている。特許文献２に開示された網カゴ１２０の場合、当該水平軸１２５から網カゴ１２０の底までの鉛直方向の距離よりも扉の縦方向の長さが長くされているため、網カゴ１２０の内部に向かって遮断扉１２６を押したとき、遮断扉１２６は網カゴ１２０の内部に向かって回動するが、網カゴ１２０の内部から扉１２６を網カゴ１２０の外部に向かって押しても当該扉１２６は回動しない。
【０００５】
【特許文献１】実開昭６３−１８０６２号公報
【特許文献２】特開２００１−１５７５４４号公報
【考案の開示】
【考案が解決しようとする課題】
【０００６】
特許文献１に開示された容器（カゴ）１０１は、四つの斜面に囲まれてできた容器上方の開口Ｈが常時開いたままである(図２２参照)。したがって、水位の変化、とくに降雨時の増水などで開口Ｈからタニシ１００が逃げ出す虞がある。また、特許文献１の容器１０１の場合、針金１０２で吊るして設置するようになっているが、水田は常時用水管理をしていて水流があるので、容器１０１自体が傾き、開口Ｈからタニシが逃げ出す虞がある。
【０００７】
さらに、特許文献２に開示された容器（カゴ）には、タニシを容器内に封じ込んでおくための金網状の遮断扉１２６が設けらている（図２３参照）。図２３に示されるように、遮断扉１２６は、容器の対向する両側面の上部に水平軸１２５を介して回転しうるように取りつけられており、遮断扉１２６の下端Ｅは容器の底Ｂに当たっている。水平軸１２５から容器の底Ｂまでの垂直方向の距離Ｌｖよりも水平軸１２５から遮断扉１２６の下端Ｅまでの長さＬの方が長くされている。このため、容器の内側から遮断扉１２５を押しても遮断扉１２６の下端Ｅが容器の底Ｂに当接しているため、遮断扉１２６を開けることができないが、容器の開口（入口）から遮断扉１２６を押せば遮断扉１２６が上方に持ち上がり、遮断扉１２６を開くことができるというものである。しかし、遮断扉１２６自体に重さがあるため、タニシが遮断扉１２６を押す程度の力では遮断扉１２６を持ち上げることには無理がある。また、容器が泥沼状の土上に置かれることから、容器が泥中に沈み、遮断扉１２６の開閉を阻害する虞もある。したがって、特許文献２に開示されたタニシの捕獲具の実用化は程遠い。
【０００８】
本考案の目的は、従来のタニシの捕獲具の欠点を解消し、常時水位が変化する泥沼状の水田、池、沼などに長期間設置しても、タニシの捕獲機能が持続し、かつ容器内で産卵した卵と成虫とを同時に処分することによって、人手の削減と駆除効率の向上を図ったタニシの捕獲および飼育具を提供することである。
【課題を解決するための手段】
【０００９】
本考案の一態様であるタニシの捕獲および飼育具は、少なくとも底面部と側面部とを有する、タニシを収容するための容器と、
タニシを該容器内に導入するために該側面部の開口部に一端が着脱自在に設けられ、他端が容器内に延びた導入部
とを備え、
導入部の他端から前記底面部までの距離が変更可能である
ことを特徴としている。
【００１０】
また、前記導入部が中空体であり、該中空体が、前記容器の側面部に設けられた開口部を経て容器の外部に開放された外部側の開放端と、容器の内部に開放された内部側の開放端とを有し、該中空体の外部側の開放端の周辺につばが設けられ、前記容器の開口部の周辺に差込みガイドが設けられてなることが好ましい。
【００１１】
本考案の他の態様であるタニシの捕獲および飼育具は、
底部と側面を有する、タニシを収容し、その中で飼育できる広さの容器と、
該容器の側面に設けられた開口部の内側に隣接して差し込み式に設けられた四角錐台の導入枠
とを備え、
導入枠の先端から前記容器の底部までの距離が変更できる
ことを特徴としている。
【００１２】
また、前記容器の側面の上部領域に縦方向に延びた複数の長孔が設けられていることが好ましい。
【考案の効果】
【００１３】
本考案のタニシの捕獲および飼育具によれば、水田、池、沼などの水位の増減、泥土の多少の沈積があっても、一旦容器内に入ったタニシが外に逃げ出すことはない。
【００１４】
また、たにしは夜行性である。このため、夜から明け方にかけて、水のかからない、日当たりのよい場所に１時間ほどで産卵する。タニシの卵は紅色を呈しているが、日が経つと白みを帯びてくる。そして、産卵から１５〜２０日程度で下方から孵化し、産卵場所の下方の水面上に落ちる。落下後すぐに、壁に一線に並んで、十日くらいは遠くに移動することはない。したがって、産卵してから、孵化して子貝がある程度成長するまで、相当の期間が見込まれるので、本考案によれば、その間にタニシを処分することができる。
【００１５】
また、本考案者は、親タニシは警戒心が強いので、容器に餌を入れて待っておくと、容器の周辺を回り、約５時間経過してから容器内に入ったことを確認した。また、一匹が容器内に入ると、つぎのタニシは入りやすいことも確認した。したがって、初回だけ、容器内に餌と囮を一匹いれておくとよい。
【００１６】
さらに、孵化した子タニシは１〜２ｍｍ程度の大きさであるので、はじめは見落とすことが多いが、注意して観察した結果、側壁と水面とが接している箇所に一直線状に並び、１０日程はほとんど移動しないことを確認した。
【００１７】
以上の観察から、本考案によれば、容器内に捕獲したタニシは、一連の飼育の間に都合のよいときに、処分が可能となるから、人力の削減、タニシの絶対数の低減に負担をかけずに効果を期待できる。
【００１８】
すなわち、本考案の捕獲および飼育具によれば、容器内で産卵した卵と成虫とを同時に処分することによって、人手の削減と駆除効率が大幅に向上する。
【考案を実施するための最良の形態】
【００１９】
添付図面を参照しつつ本考案のタニシの捕獲および飼育具について以下に詳細に説明する。
【００２０】
図１は本考案の実施の形態１にかかわるタニシの捕獲および飼育具を示す分部切欠き斜視図、図２は図１のタニシの捕獲および飼育具の縦断面図、図３は図１の導入部の側面図、図４は図１の導入部の正面図、図５は図１のタニシの捕獲および飼育具の要部断面図、図６は落差と通路の距離との関係を示す図、図７は本考案の実施の形態２にかかわるタニシの捕獲および飼育具を示す分部切欠き斜視図、図８は図７のタニシの捕獲および飼育具の縦断面図、図９は図７の導入部の側面図、図１０は図１の導入部の正面図、図１１は本考案の実施の形態２にかかわるタニシの捕獲および飼育具の導入部の他の例を示す側面図、図１２は図１１の導入部の正面図、図１３は本考案の実施の形態２にかかわるタニシの捕獲および飼育具の導入部のさらに他の例を示す正面図である。図１４は本考案の実施の形態３にかかわるタニシの捕獲および飼育具を示す側面説明図、図１５は図１４のタニシの捕獲および飼育具の導入路を容器の外側から見た部分側面図、図１６は本考案のタニシの捕獲および飼育具の導入路を開閉自在に閉鎖するための蓋の構造の他の例を示す部分断面説明図、図１７は本考案のタニシの捕獲および飼育具の導入路を開閉自在に閉鎖するための蓋の構造のさらに他の例を示す部分斜視図および側面説明図、図１８は本考案のタニシの捕獲および飼育具の導入路の構造の他の例を示す部分断面説明図、図１９は本考案の内部を示す説明図、図２０は本考案の実施の形態３にかかわるタニシの捕獲および飼育具の導入路の構造の他の例を容器内部からみた部分説明図、図２１は図２０の導入路の側面説明図である。
【００２１】
実施の形態１
図１〜４を参照すると、本実施の形態１にかかわるタニシの捕獲および飼育具は、ほぼ直方体状の合成樹脂製の容器２と、中空体の導入部（以下、単に「導入部」という）１とから構成されている。
【００２２】
容器２の側面、たとえば短辺の側面部２ａに形成される開口部には、導入路３を有する合成樹脂製の前記導入部１が設けられている。
【００２３】
本実施の形態において、導入部１は、容器２の内部に向かって先細りにされているとともに（すなわち、容器２の外面側の開放端３ｂよりも容器内部の開放端３ａの開口面積が小さい）、ほぼ四角錐台状の導入枠である（図１および図４参照）。
【００２４】
この四角錐台状の導入路３は、開放端３ｂ側の四角形開口（入り口）中心と開放端３ａ側の四角形開口（出口）の中心とが偏位して形成されており、４辺のうち、辺４ａ、４ｂおよび４ｃの傾斜面（傾斜角度）はそれぞれ異なっている。なお、本実施の形態では、導入部１を容易に作製することができるように、４辺のうち、２つの辺４ｂの傾斜角度を同じにして、残りの辺４ａおよび４ｃと異なるようにしているが、本考案においては、これに限定されるものではなく、導入部１は４辺とも異ならせるように作製することもできる。
【００２５】
このように、本実施の形態において導入部１は、複数の導入路３を有する中空の枠体からなる導入枠であるが、本考案は、かかる枠体に限られることはなく、平面状の導入路だけのものも本考案に含まれる。
【００２６】
図１〜４に示されるように、本実施の形態の導入部１は、４つの辺につば（差込部）１ａが形成されており、該つば１ａを差込みガイド（受け部）５内に沿わせて差し込んで、容器内部側の側面部２ａに組み付けられている。この差込みガイド５は、断面がＬ字状を呈する、３つのガイド片からなり、タニシの侵入口である容器２の開口部の３辺の側部および底部に形成されている。前記導入部１は、差込み式で取り付けられるので、組付け作業を容易に行なうことができる。また、前記導入路３の各辺４ａ、４ｂおよび４ｃの傾斜面（傾斜角度）は水平面に対してそれぞれ異なるように設定されているので、差込みガイド５から導入部１を引き抜き、当該導入部１を順次９０度回転させたのち、再び当該導入部１を差込みガイド５に差し込むことにより、導入路３の傾斜角度を２種類変更して前記側面部２ａに組み付けることができる。前記導入路３の各辺の傾斜角度θは、たとえば０〜４５度、好ましくは１０〜３０度のうちから適宜選定することができる。ただ、辺４ａの傾斜面から容器２内に侵入したタニシがまたもとの辺４ａの傾斜面から逃げ出してしまうので、図５に示されるように導入路３の出口（開放端３ａ側の四角形開口）から容器２内の底面部２ｂまでの落差（高さ）ｈを確保する必要がある。この落差は最低２ｃｍ程度あれば、タニシの脱出（逃げだし）は防げるが、水田に長期間施設した場合、泥Ａの蓄積（堆積）により所定の落差を確保することができなくなる。このため、設置する水田の状態により、所定の落差ｈを確保することができる傾斜角度θを選定する必要がある。また、前記落差ｈは、図６に示されるように、傾斜角度がθ1（θ2、θ3）であっても導入部１の幅（開放端３ｂから開放端３ａまでの通路の距離Ｌ）により変更することもできる。この通路の距離Ｌは、たとえば８〜１１ｃｍとすることができる。なお、図５および６におけるｈ0は、予め泥Ａの蓄積を考慮した導入部１の取付け位置（高さ）である。この取付け位置ｈ0は、差込みガイド５に、つば１ａを垂直方向の複数の位置で保持するための高さ保持手段を設けることにより、調整することができる。たとえば図１に示されるように、接地側の下部のつば１ａが差込みガイド５の下部から抜け出さない程度の上昇位置において、両側部のつば１ａと両側の差込みガイド５とが対応する所定の位置にそれぞれ孔６ａ、６ｂを形成し、これらの孔にピン（図示せず）を挿入させることにより、調整することができる。
【００２７】
本実施の形態における導入部１の設置の一例としては、取付け位置ｈ0＝２ｃｍ、落差ｈ＝４〜７ｃｍおよびＬ＝１１ｃｍとする場合、たとえば辺４ａ、４ｂおよび４ｃの傾斜角度θ1、θ2およびθ3をそれぞれ約１０度、１８度および２５度に設定することができる。
【００２８】
前記容器２は、底面部２ｂと長辺および短辺の側面部２ａと構成されるとともに、該容器２の上面には、取り外し可能な蓋７または開閉自在の蓋が設けられている。また、前記長辺の側面部２ａの下部位置と底面部２ｂには水抜き用の孔８ａ、８ｂがそれぞれ設けられている。また、本考案者は、タニシの卵は水がかかると死ぬため、必ず水面より５〜１０ｃｍ離れた比較的平坦な（凸凹がない）垂直面の１カ所に産卵するという習性を発見した。この発見に基づき、水面より５〜１０ｃｍ離れた比較的平坦な（凸凹がない）内部表面の領域の範囲の側面部２ａには、立縞模様の外観を呈する縦に延びた複数の長孔からなる冷却窓（風穴）９を互いに等間隔に穿設し（図１および２参照）、隣接する冷却窓９、９の間の領域を、タニシの産卵場所にあてている。なお、図１および２に示された例では、複数の冷却窓９は等間隔に穿設されているが、複数の冷却窓９が等間隔に穿設されないものも本考案に含まれる。夏場、容器２内の温度が６０℃にも達することがあるが、冷却窓（風穴）９を通して外気を容器２内に取り込み、容器２内の熱を放熱させることができる。
【００２９】
また、この冷却窓９は後述する調節部材を用いる構造により開閉量を調節できるようにすることもできる。前記蓋７は、複数の孔が形成された基板７ａと該基板７ａを囲む外枠７ｂとか構成されている。この蓋７は、容器搬送中や、使用中に容器本体から外れないように外れ防止構造を備えるのが好ましい。たとえば容器本体の側面部２ａの縁近辺に孔１０ａを形成するとともに、この孔１０ａに対応する位置の外枠７ｂにも孔１０ｂを形成し、これらの孔にピン（図示せず）を挿入して外れ防止を行なうことができる。なお、図１〜２において、１１は側面部２ａが軽量のために薄い場合に孔１０ａの補強用として設けられた補強部材であり、この補強部材１１にも孔１１ａが形成されている。前記容器２の材質としては、適宜選定することができるが、たとえば外部から内部観察ができるようにアクリルなどの透明材料から作製することができる。
【００３０】
前記容器２の構成は、前述のとおり、タニシの卵は水がかかると死ぬため、必ず水面より５〜１０ｃｍ離れた比較的平坦な（凸凹がない）内部表面の領域の範囲の側面部２ａの垂直面の１カ所に産卵するというタニシの習性にかなっており、この構成により、本考案は、タニシの捕獲具としてのみ機能するのではなく、タニシの飼育または繁殖具としても機能するのである。このようにタニシの飼育または繁殖具として機能させるためには、容器２は、タニシの産卵から１０日程度の期間飼育できるだけの広さをもっていることが好ましい。
【００３１】
なお、前述したように前記導入路３の各辺４ａ、４ｂおよび４ｃの傾斜角度は、０〜４５度から適宜設定されるが、これは生息するタニシの習性と水田などの設置状態の変化に対応できるように設定する。たとえば、導入部１を回転させて、導入路３の傾斜面をそれぞれ変更させた本実施の形態にかかわる捕獲および飼育具を所定の期間、たとえば２〜３週間タニシが生息する水田に設置し、この期間のタニシの捕獲量を観察する。かかる水田と試験室での実験結果から、傾斜角度が３０度をこえるとタニシが警戒するのか、侵入するタニシの数が少なくなる傾向があるため、前記設定範囲にする。
【００３２】
本実施の形態では、タニシが導入路３の開放端３ｂ側の開口（入り口）から該導入路３の傾斜面、本実施の形態では辺４ａの傾斜面を這い上がり、開放端３ａの開口（出口）から容器内部に落ち込み、タニシを捕捉するすることができる。また、泥Ａの堆積量が増えて、落差（導入部１の出口から泥Ａまでの距離）が小さくなった場合、差込みガイド５から導入部１を引き抜き、該導入部１の中心軸の回りに所定の角度だけ回転、すなわち導入部１の辺４ａから辺４ｂに９０度回転させたのち、再び当該導入部１を差込みガイド５に差し込んで、導入路３の傾斜面を変更し、落差ｈを確保する。さらに泥Ａの堆積量が増えて、落差が小さくなった場合、前述と同様に導入部１を回転させて、導入路３の傾斜辺を辺４ｃに変更し、落差ｈを確保する。
【００３３】
なお、本実施の形態では、差込みガイド５から導入部１を引き抜き、該導入部１の中心軸の回りに所定の角度だけ回転、すなわち本実施の形態では、当該導入部１の四辺４ａ、４ｂおよび４ｃをそれぞれ９０度回転させたのち、再び当該導入部１を差込みガイド５に差し込むことにより、導入路３の四辺の傾斜面が変更できる形状であれば、本考案において、とくに四角錐台状に限定されるものではない。たとえば、導入部として、導入路の容器外部の開放端側が円形開口であり、容器内部の開放端側が楕円開口または円形開口であって、容器外部の開放端側の円形開口の中心よりも楕円開口または円形開口の中心が偏心した円錐台状の導入枠とすることもできる。この導入部は、つばの位置を変えて前記差込みガイド部に差し込むことにより、導入路の傾斜面を変更することができる。また、前記導入部のつばは外形に４つ設けられているが、本考案においては、このつばを円形にすることもできる。
【００３４】
実施の形態２
つぎに本考案の実施の形態２を説明する。図７〜１０を参照すると、本実施の形態にかかわるタニシの捕獲および飼育具は、ほぼ直方体状の合成樹脂製の容器３２と導入部３１とから構成されている。該容器３２の側面、たとえば短辺の側面部３２ａに形成される開口部には、導入路３３を有する合成樹脂製の前記導入部３１が設けられている。本実施の形態において、導入部３１は、容器３２の内部に向かって先細りにされているとともに（すなわち、容器３２の外面側の開放端３３ｂよりも容器内部の開放端３３ａの開口面積が小さい）、ほぼ四角錐台状の導入枠に形成されている（図７および図１０参照）。この四角錐台状の導入路３３は、開放端３３ｂ側の四角形開口（入り口）中心と開放端３３ａ側の四角形開口（出口）の中心とが偏位して形成されており、各辺３４ａ、３４ｂ、３４ｃおよび３４ｄの傾斜面（傾斜角度）はそれぞれ異なっている。この導入部３１は、４つの辺につば（差込部）３１ａが形成されており、該つば３１ａを差込みガイド（受け部）４２内に沿わせて差し込んで、容器内部側の側面部３２ａに組み付けられている。この差込みガイド４２は、断面がＬ字状を呈しており、タニシの侵入口である容器３２の開口部の３辺の側部および底部に形成されている。前記導入部３１は、差込み式で取り付けられるので、組付け作業を容易に行なうことができる。また、前記導入路３３の各辺３４ａ、３４ｂ、３４ｃおよび３４ｄの傾斜面（傾斜角度）は水平面に対してそれぞれ異なるように設定されているので、差込みガイド４２から導入部１を引き抜き、当該導入部３１を９０度回転させたのち、再び当該導入部３１を差込みガイド４２に差し込むことにより、導入路３３の傾斜角度を３種類変更して前記側面部３２ａに組み付けることができる。たとえば、前記導入路３３の各辺３４ａ、３４ｂ、３４ｃおよび３４ｄの傾斜面（傾斜角度）は、生息するタニシの習性と設置状態の変化に対応できるようにそれぞれ異なっている。また、辺３４ａの傾斜面から容器３２内に侵入したタニシがまたもとの辺３４ａの傾斜面から逃げ出してしまうので、導入路３３の出口（開放端３３ａ側の四角形開口）から容器３２内の底までの落差（高さ）を確保する必要がある。前記落差は最小２ｃｍ程度あれば、タニシの脱出（逃げ）は防げるが、水田に長期間施設した場合、泥の蓄積（堆積）により落差を確保することができなくなる。このため、設置する水田の状態により、所定の落差を確保することができる傾斜角度を選定する。たとえばこの導入路３３の各辺の傾斜角度は、０〜４５度、好ましくは１０〜３０度のうちから適宜選定することができる。
【００３５】
前記容器３２は、底面部３２ｂと、網または多数の孔が設けられる領域の範囲Ｈ2および網または多数の孔が設けられていない領域の範囲Ｈ1からなる長辺および短辺の側面部３２ａと、該側面部３２ａに対して、たとえば着脱自在の蓋または取っ手３５を持って枢軸３６により開閉自在に枢支された蓋３７とから構成されている。前記網または多数の孔は、容器３２をたとえば田んぼに設置したときに水没する最大深さの範囲Ｈ2まで設けられる。この容器２の構成は、前述のとおり、タニシの卵は水がかかると死ぬため、必ず水面より５〜１０ｃｍ離れた比較的平坦な（凸凹がない）内部表面の領域の範囲Ｈ1の側面部３２ａの垂直面の１カ所に産卵するというタニシの習性にかなっており、この構成により、本考案は、タニシの捕獲具としてのみ機能するのではなく、タニシの飼育ないしは繁殖具としても機能するのである。また、前記平坦な領域の範囲Ｈ1の側面部３２ａには、外気を容器内部に取り込むために、立格子状の複数の冷却用窓３８を設けるのが好ましい。本実施の形態では、該窓３８が形成される側面部３２ａの背面側にスライド式の調節部材３９が設けられている。この調節部材３９は、側面部３２ａの背面側に支持部４０に支持されている。本実施の形態では、天候などにより必要に応じて、前記調節部材３９のつまみ３９ａをスライド（押し引き）させることにより、該調節部材３９に形成されるスリット４１により前記窓３８の開閉量を調節することができる。なお、本実施の形態では、調節部材３９が１つの長辺の側面部３２ａに形成されているが、本考案においては、これに限定されるものではなく、他の長辺の側面部３２ａ、すなわち両側面部３２ａに形成することもできる。これにより、容器３２の向きを自由に設定することができる。
【００３６】
本実施の形態では、タニシが導入路３３の開放端３３ｂ側から該導入路３３の傾斜面、本実施の形態では辺３４ａの傾斜面を這い上がり、開放端３３ａの開口から容器内部に落ち込み、タニシを捕捉するすることができる。
【００３７】
なお、本実施の形態では、ほぼ四角錐台状の導入路３３の開放端３３ａが開放しているため、一旦容器内部に侵入したタニシが開放端３３ａ側から導入路３３を通って容器３２の外部に抜け出さないように、図１１および図１２に示されるように開放端３３ａの左右両側に邪魔板４９ａ、４９ａを設けることもできる。また、開放端３３ａの下部にも邪魔板４９ｂを設けることもできる。この邪魔板４９ｂに錘Ｗを設けると、常に自由端が容器３２の底面部３２ｂに接するようになり、タニシが導入路３３の開放端３３ａに近づくことをより確実に防止することができる。
【００３８】
また、本実施の形態では、差込みガイド４２から導入部３１を引き抜き、該導入部３１の中心軸の回りに所定の角度だけ回転、すなわち本実施の形態では、当該導入部３１の四辺３４ａ、３４ｂ、３４ｃおよび３４ｄをそれぞれ９０度回転させたのち、再び当該導入部３１を差込みガイド４２に差し込むことにより、導入路３３の四辺の傾斜面が変更できる形状であれば、本考案において、とくに四角錐台状に限定されるものではない。たとえば図１３に示されるように、導入部５１として、導入路５３の容器外部の開放端５３ｂ側が円形開口５２ｂであり、容器内部の開放端５３ａ側が楕円開口５２ａまたは円形開口であって、円形開口５２ｂの中心よりも楕円開口５２ａまたは円形開口の中心が偏心した円錐台状とすることもできる。この導入部５１は、つば５１ａの位置を変えて前記差込みガイド部５２に差し込むことにより、導入路５３の傾斜面を変更することができる。また、前記導入部３１、５１のつば３１ａ、５１ａは外形に４つ設けられているが、本考案においては、このつばを円形にすることもできる。
【００３９】
実施の形態３
つぎに本考案の実施の形態３を説明する。図１４を参照すると、本実施の形態にかかわるタニシの捕獲および飼育具は、ほぼ直方体状の合成樹脂製の容器８２と導入部から構成されている。容器８２の側面には、導入路８３を有する前記導入部が設けられている。また、導入路８３は、容器８２の内部に向かって開口８３ｃが延び、筒状の形状を呈している。さらに本実施の形態において、導入部は、容器内部に向かって先細りし（すなわち、容器８２の外面側の開放端８３ｂよりも容器内部の開放端８３ａの開口面積が小さい）、ほぼ四角錐台状の導入枠からなる（図１４、１８および２１参照）が、このような形状に限られることはなく、たとえば、円筒状の形状や円錐台状の形状の筒も採用できる。
【００４０】
本実施の形態において、導入路８３の開放端８３ａを容器８２の内側から塞ぐ扉８４が開閉自在に設けられている。導入路８３の開放端８３ａの上部側縁と、扉８４の上部側縁８４ａとは連結部８５を介して連結されている。連結部８５としては、たとえば、粘着ビニールテープを採用することができる。
【００４１】
本実施の形態における扉８４は、少なくとも扉８４の下部に横方向に突出した横方向突出部８４ｂを有しており、これにより、扉８４は導入路８３の開放端８３ａに係止される。
【００４２】
本実施の形態においては、前述のように、導入路８３の開放端８３ａの上部側縁と、扉８４の上部側縁８４ａとが、粘着ビニールテープなどの連結部８５を介して連結される構造に限られない。たとえば、図１６に示すように、扉８８の上部側縁の２箇所に貫通孔Ｒを設け、導入路８３の開放端８３ａに設けられたフック８５に引っ掛ける構造にすることも可能である。さらに、図１７（ａ）および（ｂ）に示されるように、導入路８３の開放端８３ａに互いに向かい合ったフォーク状部材８６ａ、８６ａを突出させ、該フォーク状部材８６ａ、８６ａそれぞれの対向する位置に凹所８６ｃを設け、このフォーク状部材８６ａ、８６ａを受け入れるための切り欠き８４ｄと、フォーク状部材８６ａ、８６ａの間に挿入させるための突起部８５と、凹所８６ｃと係合する係合突起８５ａとが扉８４に設けられた構造にすることも可能である。図１７（ｂ）に示されるように、扉８４の上部にも横方向突出部８４ｃを設けてもよい。
【００４３】
図１８は、本実施の形態の導入路８３の他の変形例を示している。図１８に示した導入路８３は、容器８２に一体的に設けられていることを特徴としている。
【００４４】
つぎに、図１９は本実施の形態のタニシの捕獲および飼育具の内部を示している。図１９のＨ2は、容器８２に設けられる網または多数の孔８７が設けられる領域の範囲を示している。網または多数の孔は、容器５２をたとえば田んぼに設置したときに水没する最大深さの範囲まで設けられ、Ｈ2をこえる領域Ｈ1（図１４参照）には、網または多数の孔８７は設けられていない。この構成は、前述のとおり、タニシの卵は水がかかると死ぬため、必ず水面より５〜１０ｃｍ離れた比較的平坦な（凸凹がない）垂直面の１カ所に産卵するというタニシ９０の習性にかなっており、この構成により、本考案は、タニシの捕獲具としてのみ機能するのではなく、タニシの飼育ないしは繁殖具としても機能するのである。
【００４５】
また、図１９を参照すると、導入路８３を容器８２に着脱できるようにするための差込みガイドのガイド溝８８が設けられている。このガイド溝８８に導入路８３の広い方の開口端８３ｂの側縁が挿入される構造になっている。この構造を採用すれば、たとえば、２０度、４５度など種々の傾斜角θ（図１４参照）を有する導入路８３を数種類用意しておけば、タニシの捕獲の度合いにより適宜取り替えることができるという利点がある。
【００４６】
つぎに、図２０および２１には、四角錐台状の導入路８３の開口端が同径部８３ａとなっており、同径部８３ａの開口端の左右両側に、それぞれタニシが開口端に接近するのを防止するための邪魔板８９ａ、８９ａが設けられている。また、同径部８３ａの開口端の下部にも邪魔板８９ｂが設けられている。邪魔板８９ｂに錘Ｗを設けると、常に自由端が容器８２の底部８２ｂに接するようになり、タニシが導入路８３の開口端に近づくことをより確実に防止することができる。
【００４７】
本実施の形態のタニシの捕獲および飼育具の場合、導入路８３の取り替えや、捕獲したタニシを取り出すために、容器８２の上部には着脱可能な蓋８２ｃを設けることが好ましい。
【００４８】
また、本考案者は、注意深くタニシの習性を観察した結果、タニシは、容器８２に接近すると容器８２の内部を窺いながら開口部周辺を這いまわるという行動をとり、容器内に関心を示すと入ろうとする習性があることを見いだした。本実施の形態のタニシの捕獲および飼育具の場合、容器８２、導入路８３および扉８４は、タニシの習性から、タニシが容器内を見ることができるので、透明な合成樹脂から製造されたものであることが好ましい。
【００４９】
本考案の実施の形態１、２、３では、取り扱いが簡単で、かつ、農薬のように環境問題や水質汚染の問題を引き起こすことなくタニシを捕獲することができ、そのうえ長期間設置することにより、繁殖させることができる。
【実施例】
【００５０】
以下に実施例に基づいて本考案を詳細に説明するが、本考案はこれのみに制限されるものではない。
【００５１】
図１および２のとおりにタニシの捕獲および飼育具を作製し、容器内に野菜くず（餌）を入れて水位５ｃｍ程度の、稲穂が出た頃の水田に２０日間設置し観察した。
【００５２】
その結果、設置後５日目に、容器内に２つのタニシの捕獲が確認され、設置後１０日目に、さらに１３個のタニシとザリガニ１匹の捕獲と容器内に入れた餌がなくなっていることが確認され、設置後２０日目に、さらに１６個（合計３１個）のタニシおよびザリガニ１匹の捕獲と容器内の１箇所にされた産卵とが確認された。
【図面の簡単な説明】
【００５３】
【図１】本考案の実施の形態１にかかわるタニシの捕獲および飼育具を示す分部切欠き斜視図である。
【図２】図１のタニシの捕獲および飼育具の縦断面図である。
【図３】図１の導入部の側面図である。
【図４】図１の導入部の正面図である。
【図５】図１のタニシの捕獲および飼育具の要部断面図である。
【図６】落差と通路の距離との関係を示す図である。
【図７】本考案の実施の形態２にかかわるタニシの捕獲および飼育具を示す分部切欠き斜視図である。
【図８】図７のタニシの捕獲および飼育具の縦断面図である。
【図９】図７の導入部の側面図である。
【図１０】図７の導入部の正面図である。
【図１１】本考案の実施の形態２にかかわるタニシの捕獲および飼育具の導入部の他の例を示す側面図である。
【図１２】図１１の導入部の正面図である。
【図１３】本考案の実施の形態２にかかわるタニシの捕獲および飼育具の導入部のさらに他の例を示す正面図である。
【図１４】本考案の実施の形態３にかかわるタニシの捕獲および飼育具を示す側面説明図である。
【図１５】図１４のタニシの捕獲および飼育具の導入路を容器の外側から見た部分側面図である。
【図１６】本考案のタニシの捕獲および飼育具の導入路を開閉自在に閉鎖するための蓋の構造の他の例を示す部分断面説明図である。
【図１７】本考案のタニシの捕獲および飼育具の導入路を開閉自在に閉鎖するための蓋の構造のさらに他の例を示す部分斜視図および側面説明図である。
【図１８】本考案のタニシの捕獲および飼育具の導入路の構造の他の例を示す部分断面説明図である。
【図１９】本考案の内部を示す説明図である。
【図２０】本考案の実施の形態３にかかわるタニシの捕獲および飼育具の導入路の構造の他の例を容器内部からみた部分説明図である。
【図２１】図２０の導入路の側面説明図である。
【図２２】従来のタニシの捕獲具の一例を示す側面説明図である。
【図２３】従来のタニシの捕獲具の他の例を示す側面説明図である。
【符号の説明】
【００５４】
１、３１    導入部
１ａ、３１ａ、５１ａ  つば
２、３２、８２    容器
２ａ、３２ａ  側面部
２ｂ、３２ｂ  底面部
３、３３、５３、８３    導入路
３ａ、３ｂ、３３ａ、３３ｂ、５３ａ、
５３ｂ、８３ａ、８３ｂ  開放端
４ａ、４ｂ、４ｃ、３４ａ、３４ｂ、
３４ｃ、３４ｄ  辺
５、１２、４２    差込みガイド
６ａ、６ｂ、８ａ、８ｂ、１０ａ、
１０ｂ、１１ａ  孔
７、３７、８２ｃ  蓋
７ａ  基板
７ｂ  外枠
９、３８    窓
１１    補強部材
３５    取っ手
３６    枢軸
３９    調節部材
３９ａ  つまみ
４０    支持部
４１    スリット
４９ａ、４９ｂ、８９ａ、８９ｂ  邪魔板
５２ａ  楕円開口
５２ｂ  円形開口
８２ｂ  底部
８３ｃ  開口
８４    扉
８４ａ  上部側縁
８４ｂ  横方向突出部
８４ｃ  横方向突出部
８４ｄ  切り欠き
８５    連結部（フック、突起）
８５ａ  係合突起
８６ａ  フォーク状部材
８６ｂ  フォーク状部材
８６ｃ  凹所
８７    網または孔
８８    ガイド溝
９０    タニシ
【図１】
0003103317.tif 000003
【図２】
0003103317.tif 000004
【図３】
0003103317.tif 000005
【図４】
0003103317.tif 000006
【図５】
0003103317.tif 000007
【図６】
0003103317.tif 000008
【図７】
0003103317.tif 000009
【図８】
0003103317.tif 000010
【図９】
0003103317.tif 000011
【図１０】
0003103317.tif 000012
【図１１】
0003103317.tif 000013
【図１２】
0003103317.tif 000014
【図１３】
0003103317.tif 000015
【図１４】
0003103317.tif 000016
【図１５】
0003103317.tif 000017
【図１６】
0003103317.tif 000018
【図１７】
0003103317.tif 000019
【図１８】
0003103317.tif 000020
【図１９】
0003103317.tif 000021
【図２０】
0003103317.tif 000022
【図２１】
0003103317.tif 000023
【図２２】
0003103317.tif 000024
【図２３】
0003103317.tif 000025